(57)【要約】【課題】コネクタを小型化した場合でも、コンタクトの脱落や位置ずれを簡便な構成で回避するコネクタを提供すること。【解決手段】コンタクト１０と、コンタクト１０を保持するハウジング２０と、ハウジング２０に固定されるホルダ部材３０とを備え、所定の嵌合方向Ｘに沿って相手側コネクタ（図示しない）と嵌合するコネクタ１であって、ハウジング２０は、相手側コネクタ（図示しない）と嵌合する側の第１の側部２１と反対側の第２の側部２２とを有し、コンタクト１０は、第２の側部２２側からハウジング２０に圧入されるコンタクト圧入部１７を有し、ホルダ部材３０は、嵌合方向Ｘにおいてコンタクト１０の第２の側部２２側に配置され第２の側部２２側へのコンタクト１０の移動を規制する規制部３６を有しているコネクタ１。【選択図】図１０
2013222579.tif 000002
【特許請求の範囲】
【請求項１】
コンタクトと、前記コンタクトを保持するハウジングと、前記ハウジングに固定されるホルダ部材とを備え、所定の嵌合方向に沿って相手側コネクタと嵌合するコネクタであって、
前記ハウジングは、前記相手側コネクタと嵌合する側の第１の側部と、前記嵌合方向において前記第１の側部とは反対側の第２の側部とを有し、
前記コンタクトは、前記第２の側部側から前記ハウジングに圧入されるコンタクト圧入部を有し、
前記ホルダ部材は、前記嵌合方向において前記コンタクトの前記第２の側部側に配置され前記第２の側部側への前記コンタクトの移動を規制する規制部を有していることを特徴とするコネクタ。
【請求項２】
前記コンタクトは、前記ハウジングの長手方向に沿って所定ピッチで複数配置され、
前記ホルダ部材は、前記ハウジングの長手方向に沿って配置された複数の前記コンタクトのうち少なくとも幾つかの前記コンタクトに共通して設置されていることを特徴とする請求項１に記載のコネクタ。
【請求項３】
前記コンタクトは、前記ハウジングの長手方向に沿って所定ピッチで複数配置され、
前記ハウジングの長手方向に沿って配置された複数の前記コンタクトから成る列が、前記ハウジングの長手方向および前記嵌合方向に直交する第３方向に複数並べられ、
前記ホルダ部材は、前記第３方向に並べられた複数の前記コンタクトのうち少なくとも幾つかの前記コンタクトに共通して設置されていることを特徴とする請求項１または請求項２に記載のコネクタ。
【請求項４】
前記ハウジング内に配置され外部接続用のプレート端子部を有する金属プレートを備え、
前記ホルダ部材は、絶縁材料から成り、前記プレート端子部を挿通させる貫通孔を有していることを特徴とする請求項１乃至請求項３のいずれか１項に記載のコネクタ。
【請求項５】
前記プレート端子部は、前記ホルダ部材の前記貫通孔に圧入されるプレート圧入部を有していることを特徴とする請求項４に記載のコネクタ。
【請求項６】
前記ハウジング内に配置され外部接続用のプレート端子部を有する金属プレートを備え、
前記金属プレートは、前記ホルダ部材を保持する保持部を有していることを特徴とする請求項１乃至請求項５のいずれか１項に記載のコネクタ。
【請求項７】
前記金属プレートは、前記第１の側部側または前記第２の側部側から前記ハウジングに挿入されて、前記ハウジングによって少なくとも挿入方向への移動を規制された状態で、前記ハウジングに対して取り付けられ、
前記プレート端子部は、前記第２の側部側へ向け前記ハウジングの外部に突出していることを特徴とする請求項４乃至請求項６のいずれか１項に記載のコネクタ。
【請求項８】
前記金属プレートは、前記ハウジングに圧入されていることを特徴とする請求項４乃至請求項７のいずれか１項に記載のコネクタ。
【請求項９】
前記ホルダ部材は、前記第２の側部側から前記ハウジングに圧入されるホルダ圧入部を有していることを特徴とする請求項１乃至請求項８のいずれか１項に記載のコネクタ。
【請求項１０】
前記コンタクトは、前記ハウジングの長手方向に沿って所定ピッチで複数配置され、
前記コンタクトは、相手側コンタクトに接触するためのコンタクト接触部と、外部接続用のコンタクト端子部と、前記コンタクト端子部に連設され前記ハウジングの長手方向および前記嵌合方向に直交する第３方向に沿って延びる第２延在部と、前記コンタクト接触部と前記第２延在部との間に形成され前記嵌合方向に沿って延びる第１延在部と、前記第１延在部に形成される前記コンタクト圧入部とを有し、
前記ホルダ部材の前記規制部は、前記第１延在部の前記第２の側部側に配置されていることを特徴とする請求項１乃至請求項９のいずれか１項に記載のコネクタ。
【請求項１１】
前記コンタクトは、前記第１延在部と前記第２延在部との間に形成されるクランク部を有し、
前記クランク部は、前記第１延在部に連設され前記コンタクト端子部に向けて延びる第１部分と、前記第１部分から前記第２の側部側に向けて延び前記第１部分および前記第２延在部を連結する第２部分とから構成され、
前記ホルダ部材の前記規制部は、前記クランク部の前記第１部分の前記第２の側部側に配置されていることを特徴とする請求項１０のいずれか１項に記載のコネクタ。
【請求項１２】
前記コンタクトは、信号用コンタクトであり、
電源用コンタクトと、前記ハウジングの少なくとも一部を覆うシェルとを備えていることを特徴とする請求項１乃至請求項１１のいずれか１項に記載のコネクタ。
【発明の詳細な説明】
【技術分野】
【０００１】
本発明は、コネクタに関する。
【背景技術】
【０００２】
従来、図１７に示すように、コンタクト１１０と、コンタクト１１０を保持するハウジング１２０とを備え、所定の嵌合方向Ｘに沿って相手側コネクタ（図示しない）と嵌合するコネクタ１０１が知られている（例えば、特許文献１参照。）。
【０００３】
この特許文献１のコネクタ１０１では、ハウジング１２０が、相手側コネクタ（図示しない）と嵌合する側の第１の側部１２１と、嵌合方向Ｘにおいて第１の側部１２１とは反対側の第２の側部１２２とを有し、コンタクト１１０は、第２の側部１２２側からハウジング１２０に圧入されるコンタクト圧入部１１７を有している。
【先行技術文献】
【特許文献】
【０００４】
【特許文献１】特開平１１−３２９５９４号公報
【発明の概要】
【発明が解決しようとする課題】
【０００５】
ところが、特許文献１のコネクタ１０１のように、嵌合方向Ｘに沿って第２の側部１２２側からコンタクト１１０のコンタクト圧入部１１７をハウジング１２０に圧入することで、コンタクト１１０を保持する構成を採用したコネクタ１０１では、コネクタ１０１および相手側コネクタ（図示しない）の嵌合時において、第２の側部１２２側に向けて相手側コネクタ（図示しない）からコンタクト１１０に作用する力をハウジング１２０およびコンタクト１１０間の圧入箇所Ｒで受けることになる。
【０００６】
そして、このようなコネクタ１０１を小型化しようとした場合、コンタクト１１０およびハウジング１２０間の圧入箇所Ｒの寸法を大きく確保することが難しいため、ハウジング１２０によるコンタクト保持力を充分に確保できず、度重なるコネクタ１０１および相手側コネクタ（図示しない）間の挿抜によって、相手側コネクタ（図示しない）から受ける力によりコンタクト１１０がハウジング１２０に対して移動することが繰り返されて、コンタクト１１０およびハウジング１２０間の圧入箇所Ｒが徐々に緩み、その結果、コンタクト１１０の脱落や位置ずれなどが生じることがあるという問題があった。
【０００７】
そこで、本発明は、従来の問題を解決するものであって、すなわち、本発明の目的は、コネクタを小型化した場合でも、コンタクトの脱落や位置ずれを簡便な構成で回避するコネクタを提供することである。
【課題を解決するための手段】
【０００８】
本発明のコネクタは、コンタクトと、前記コンタクトを保持するハウジングと、前記ハウジングに固定されるホルダ部材とを備え、所定の嵌合方向に沿って相手側コネクタと嵌合するコネクタであって、前記ハウジングは、前記相手側コネクタと嵌合する側の第１の側部と、前記嵌合方向において前記第１の側部とは反対側の第２の側部とを有し、前記コンタクトは、前記第２の側部側から前記ハウジングに圧入されるコンタクト圧入部を有し、前記ホルダ部材は、前記嵌合方向において前記コンタクトの前記第２の側部側に配置され前記第２の側部側への前記コンタクトの移動を規制する規制部を有していることにより、前述した課題を解決したものである。
【０００９】
前記コンタクトは、前記ハウジングの長手方向に沿って所定ピッチで複数配置され、前記ホルダ部材は、前記ハウジングの長手方向に沿って配置された複数の前記コンタクトのうち少なくとも幾つかの前記コンタクトに共通して設置されていてもよい。
【００１０】
前記コンタクトは、前記ハウジングの長手方向に沿って所定ピッチで複数配置され、前記ハウジングの長手方向に沿って配置された複数の前記コンタクトから成る列が、前記ハウジングの長手方向および前記嵌合方向に直交する第３方向に複数並べられ、前記ホルダ部材は、前記第３方向に並べられた複数の前記コンタクトのうち少なくとも幾つかの前記コンタクトに共通して設置されていてもよい。
【００１１】
前記ハウジング内に配置され外部接続用のプレート端子部を有する金属プレートを備え、前記ホルダ部材は、絶縁材料から成り、前記プレート端子部を挿通させる貫通孔を有していてもよい。
【００１２】
前記プレート端子部は、前記ホルダ部材の前記貫通孔に圧入されるプレート圧入部を有していてもよい。
【００１３】
前記ハウジング内に配置され外部接続用のプレート端子部を有する金属プレートを備え、前記金属プレートは、前記ホルダ部材を保持する保持部を有していてもよい。
【００１４】
前記金属プレートは、前記第１の側部側または前記第２の側部側から前記ハウジングに挿入されて、前記ハウジングによって少なくとも挿入方向への移動を規制された状態で、前記ハウジングに対して取り付けられ、前記プレート端子部は、前記第２の側部側へ向け前記ハウジングの外部に突出していてもよい。
【００１５】
前記金属プレートは、前記ハウジングに圧入されていてもよい。
【００１６】
前記ホルダ部材は、前記第２の側部側から前記ハウジングに圧入されるホルダ圧入部を有していてもよい。
【００１７】
前記コンタクトは、前記ハウジングの長手方向に沿って所定ピッチで複数配置され、前記コンタクトは、相手側コンタクトに接触するためのコンタクト接触部と、外部接続用のコンタクト端子部と、前記コンタクト端子部に連設され前記ハウジングの長手方向および前記嵌合方向に直交する第３方向に沿って延びる第２延在部と、前記コンタクト接触部と前記第２延在部との間に形成され前記嵌合方向に沿って延びる第１延在部と、前記第１延在部に形成される前記コンタクト圧入部とを有し、前記ホルダ部材の前記規制部は、前記第１延在部の前記第２の側部側に配置されていてもよい。
【００１８】
前記コンタクトは、前記第１延在部と前記第２延在部との間に形成されるクランク部を有し、前記クランク部は、前記第１延在部に連設され前記コンタクト端子部に向けて延びる第１部分と、前記第１部分から前記第２の側部側に向けて延び前記第１部分および前記第２延在部を連結する第２部分とから構成され、前記ホルダ部材の前記規制部は、前記クランク部の前記第１部分の前記第２の側部側に配置されていてもよい。
【００１９】
前記コンタクトは、信号用コンタクトであり、電源用コンタクトと、前記ハウジングの少なくとも一部を覆うシェルとを備えていてもよい。
【発明の効果】
【００２０】
本発明では、第２の側部側へのコンタクトの移動を規制する規制部を有するホルダ部材を設置することにより、ハウジングに対するコンタクトの移動を規制してコンタクトおよびハウジング間の圧入箇所に緩みが生じることを回避できるため、コネクタを小型化に伴ってコンタクトおよびハウジング間の圧入箇所の寸法を大きく確保することができない場合であっても、コンタクトの脱落や位置ずれを簡便な構成で防止できる。
【図面の簡単な説明】
【００２１】
【図１】本発明の一実施形態であるコネクタを示す斜視図である。
【図２】図１と異なる視点からコネクタを見て示す斜視図である。
【図３】図１に示すコネクタを分解して示す分割斜視図である。
【図４】コンタクトを示す斜視図である。
【図５】ハウジングを示す斜視図である。
【図６】ホルダ部材を示す斜視図である。
【図７】金属プレートを示す斜視図である。
【図８】コネクタを示す平面図である。
【図９】図８のＡ−Ａ線位置で矢印方向にみた断面図である。
【図１０】図８のＢ−Ｂ線位置で矢印方向にみた断面図である。
【図１１】第１方向および第２方向で規定される平面できったコネクタの断面図である。
【図１２】コンタクトの設置態様の変形例を示す断面図である。
【図１３】図１２に示す例の変形例を示す断面図である、
【図１４】ホルダ部材の変形例を示す断面図である。
【図１５】金属プレートの変形例を示す断面図である。
【図１６】金属プレートの他の変形例を示す断面図である。
【図１７】従来のコネクタを示す斜視図である。
【発明を実施するための形態】
【００２２】
以下、本発明のコネクタの一実施形態および複数の変形例を図面に基づいて説明する。
【００２３】
なお、以下の説明においては、コネクタおよび相手側コネクタの嵌合方向を第１方向Ｘ、第１方向Ｘに直交しハウジングに対してコンタクトを並列配置させる方向を第２方向Ｙ、第１方向Ｘおよび第２方向Ｙに直交する方向を第３方向Ｚと規定する。
【実施例】
【００２４】
本発明の一実施形態であるコネクタ１は、ノートＰＣやスレートＰＣやタブレット端末などの携帯情報端末用のドッキングステーションの基板（図示しない）に実装され、携帯情報端末に実装された相手側コネクタ（図示しない）と嵌合して接続されるドッキング用コネクタとして構成されている。ここで、ドッキング用コネクタの特徴としては、相手側コネクタ（図示しない）との間の挿抜回数が多く、また、相手側コネクタ（図示しない）を実装した携帯情報端末から大きな物理的負荷が加わることから機械的強度が必要とされることが挙げられる。なお、コネクタ１の具体的態様および用途は、ドッキング用コネクタに限定されない。
【００２５】
コネクタ１は、所謂ソケットコネクタとして構成され、図１および図２に示すように、コンタクト１０と、ハウジング２０と、ホルダ部材３０と、金属プレート４０と、シェル５０と、第１の電源用コンタクト６０と、第２の電源用コンタクト７０とを備えている。なお、コネクタ１を所謂プラグコネクタとして構成してもよい。
【００２６】
コンタクト１０は、導電性の金属から成る信号用コンタクトであり、図２に示すように、第３方向Ｚにおけるハウジング２０の両側において、第２方向Ｙに所定ピッチで並列した状態でそれぞれ複数配置されている。コンタクト１０は、図３に示すように、第２の側部２２側からハウジング２０に対して取り付けられる。
【００２７】
コンタクト１０は、図４や図１０に示すように、第１の側部２１側に配置され相手側コンタクト（図示しない）に接触するためのコンタクト接触部１１と、コンタクト接触部１１に連設され弾性変形可能なバネ部１２と、バネ部１２の一端から第１方向Ｘに沿って第２の側部２２側に向けて延びる第１延在部１３と、第１延在部１３の一端に連設されるクランク部１４と、クランク部１４の一端に連設され第３方向Ｚに沿って延びる第２延在部１５と、第２延在部１５の一端に連設され基板（図示しない）に接続されるコンタクト端子部１６とを有している。
【００２８】
第１延在部１３および第２延在部１５には、図４に示すように、第２方向Ｙに突出したコンタクト圧入部１７が形成されている。これらコンタクト圧入部１７は、第２の側部２２側からハウジング２０に圧入される。なお、図９、図１０、図１２乃至図１４においては、コンタクト１０およびハウジング２０間の圧入箇所を符号Ｒで示している。
【００２９】
クランク部１４は、図４に示すように、第１延在部１３の一端から第３方向Ｚに沿って延びる第１部分１４ａと、第１部分１４ａの一端から第２の側部２２側に向けて延び第１部分１４ａおよび第２延在部１５を連結する第２部分１４ｂとから構成されている。
【００３０】
コンタクト１０は、図１０に示すように、クランク部１４の第１部分１４ａの第２の側部２２側に配置されたホルダ部材３０の規制部３６により、第２の側部２２側への移動を規制される。
【００３１】
なお、図１０に示す例では、第３方向Ｚにおけるハウジング２０の両側にコンタクト１０を２列で配置したが、図１２に示す変形例のように、第３方向Ｚにおけるハウジング２０の片側にコンタクト１０を１列で配置してもよい。図１２に示す変形例においても、コンタクト１０は、第２方向Ｙに所定ピッチで並列した状態でそれぞれ複数配置されている。また、図１２に示す例では、金属プレート４０を設けていないが、図１３に示すように、コンタクト１０を１列で配置した例においても、金属プレート４０を設けてもよい。また、コンタクト１０の前記列の数は、３列、４列など如何なるものでもよい。
【００３２】
また、図１４に示す変形例のように、クランク部１４を形成しなくてもよく、この場合、第２延在部１５の第２の側部２２側にホルダ部材３０の規制部３６が配置される。なお、クランク部１４を形成した図１０に示す例と、クランク部１４を形成しない図１４の例を比較した場合、図１０に示す例の方が、コンタクト端子部１６の第１方向Ｘにおける高さ寸法を大きくすることなく、ホルダ部材３０の第１ホルダ部分３１の第１方向Ｘの厚みを大きく確保して第１ホルダ部分３１の強度を確保できるため、より好ましい。
【００３３】
ハウジング２０は、絶縁性樹脂から成り、図５に示すように、相手側コネクタ（図示しない）と嵌合する側の第１の側部２１と、第１方向Ｘにおいて第１の側部２１とは反対側の第２の側部２２とを有している。
【００３４】
ハウジング２０は、図５や図１０に示すように、ハウジング２０内に形成されコンタクト１０の第１延在部１３のコンタクト圧入部１７を圧入させて保持する第１保持部２３と、ハウジング２０の第２の側部２２側の底面に形成されコンタクト１０の第２延在部１５のコンタクト圧入部１７を圧入させて保持する第２保持部２４と、ハウジング２０の第２の側部２２側の底面に形成されコンタクト１０を設置させる複数のコンタクト用溝部２５と、ハウジング２０の第２の側部２２側の底面に形成されホルダ部材３０のホルダ圧入部３３を圧入させて保持する第３保持部２６と、第１方向Ｘに沿って貫通し金属プレート４０のプレート端子部４２を挿通させる貫通孔２７とを有している。
【００３５】
ホルダ部材３０は、絶縁性の樹脂から成り、図３に示すように、第２の側部２２側からハウジング２０に取り付けられ、ハウジング２０に固定される。ホルダ部材３０は、図２や図１０に示すように、第３方向Ｚにおけるハウジング２０の両側に配置された２列のコンタクト１０に共通して、１つ設置されている。なお、ホルダ部材３０の個数については、２つや３つなど、如何なるものであってもよい。
【００３６】
ホルダ部材３０は、図６や図１０に示すように、第２方向Ｙに沿って延びる第１ホルダ部分３１と、第１ホルダ部分３１の第１の側部２１側に形成される第２ホルダ部分３２と、第２ホルダ部分３２の第１の側部２１側の上面から第１方向Ｘに向けて突出する複数のホルダ圧入部３３と、第１方向Ｘに沿って第１ホルダ部分３１および第２ホルダ部分３２に形成される複数の貫通孔３４と、第１ホルダ部分３１および第２ホルダ部分３２の側面に形成されコンタクト１０を設置させる複数のコンタクト用溝部３５と、第１ホルダ部分３１の第１の側部２１側の上面に形成されコンタクト１０の第２の側部２２側への移動を規制する規制部３６とを有している。
【００３７】
第２ホルダ部分３２は、図１０に示すように、第３方向Ｚにおけるハウジング２０の両側に配置されたコンタクト１０の第１延在部１３の間に配置される。これにより、ハウジング２０に対してホルダ部材３０を取り付ける際に、第２ホルダ部分３２が第１延在部１３によってガイドされるため、ホルダ部材３０をハウジング２０の所定位置に正確かつ容易に取り付けることができ、また、ハウジング２０に対してホルダ部材３０を不適切な位置関係で取り付けようとした場合に生じがちなホルダ圧入部３３などの破損を回避できる。ホルダ圧入部３３は、図１１に示すように、第２の側部２２側からハウジング２０の第３保持部２６に圧入される。規制部３６は、本実施形態では、図１０に示すように、コンタクト１０から離間して配置されているが、コンタクト１０に接した状態で配置されてもよい。
【００３８】
金属プレート４０は、導電性の金属から成る静電気対策用のプレートである。金属プレート４０は、図３に示すように、第１方向Ｘに沿って第１の側部２１側からハウジング２０に挿入され、ハウジング２０内の所定位置で固定される。
【００３９】
金属プレート４０は、図７に示すように、第２方向Ｙに沿って延びるプレート本体部４１と、プレート本体部４１から第１方向Ｘに沿って第２の側部２２側に向けて突出する複数のプレート端子部４２とを有している。
【００４０】
プレート本体部４１は、ハウジング２０によって、第２の側部２２側への移動を規制されている。プレート端子部４２は、図２に示すように、第２の側部２２側へ向けハウジング２０の外部に突出し、基板（図示しない）に接続される部位である。プレート端子部４２には、図７に示すように、第２方向Ｙに突出しハウジング２０に圧入されるプレート圧入部４３を有している。
【００４１】
プレート端子部４２は、図９や図１１に示すように、ホルダ部材３０の貫通孔３４にそれぞれ挿通されている。これにより、コネクタ１を小型化した場合であっても、コンタクト１０の保持機能を有するホルダ部材３０を利用して、プレート端子部４２およびコンタクト１０の間を確実に絶縁できる。
【００４２】
なお、図１５に示す変形例のように、金属プレート４０のプレート端子部４２に、ホルダ部材３０の貫通孔３４に圧入される第２のプレート圧入部４４を形成してもよい。この場合、第２のプレート圧入部４４は、ホルダ部材３０を保持する保持部として機能する。このように、静電気対策用の金属プレート４０にも、ホルダ部材３０の保持を担わせることにより、ホルダ部材３０の保持強度を向上できる。また、図示しないが、ホルダ部材３０をハウジング２０に圧入することなく、金属プレート４０およびホルダ部材３０間の圧入のみを利用して、ホルダ部材３０を保持してもよい。
【００４３】
また、図１６に示す変形例のように、金属プレート４０に、プレート本体部４１から第１方向Ｘに沿って突出するプレート延在部４５を形成してもよい。このプレート延在部４５は、プレート端子部４２とは異なり、第２の側部２２側へ向けハウジング２０の外部に突出していない。プレート延在部４５には、図１６に示すように、ハウジング２０に圧入されるプレート圧入部４３と、ホルダ部材３０に圧入される第２のプレート圧入部４４とが形成されている。
【００４４】
シェル５０は、導電性の金属から成り、図１に示すように、ハウジング２０の４つの側面を覆い、ハウジング２０に固定されている。シェル５０は、図１に示すように、相手側コネクタ（図示しない）の相手側シェル（図示しない）に接触するためのシェル接触部５１と、基板（図示しない）に接続されるシェル端子部５２とを有している。
【００４５】
第１の電源用コンタクト６０は、導電性の金属から成り、ハウジング２０に固定されている。第１の電源用コンタクト６０は、図１１に示すように、相手側コネクタ（図示しない）の第１の電源用コンタクト（図示しない）に接触するための第１の電源用接触部６１と、基板（図示しない）に接続される第１の電源用端子部６２とを有している。
【００４６】
第２の電源用コンタクト７０は、導電性の金属から成り、ハウジング２０に固定されている。第２の電源用コンタクト７０は、図１１に示すように、相手側コネクタ（図示しない）の第２の電源用コンタクト（図示しない）に接触するための第２の電源用接触部７１と、基板（図示しない）に接続される第２の電源用端子部７２とを有している。
【００４７】
コンタクト端子部１６とプレート端子部４２とシェル端子部５２と第１の電源用端子部６２と第２の電源用端子部７２とは、基板（図示しない）にはんだ付けされる。
【００４８】
このようにして得られた本実施形態では、第２の側部２２側へのコンタクト１０の移動を規制する規制部３６を有するホルダ部材３０を設置することにより、ハウジング２０に対するコンタクト１０の移動を規制してコンタクト１０およびハウジング２０間の圧入箇所Ｒに緩みが生じることを回避できるため、コネクタ１を小型化に伴ってコンタクト１０およびハウジング２０間の圧入箇所Ｒの寸法を大きく確保することができない場合であっても、コンタクト１０の脱落や位置ずれを防止できる。
【符号の説明】
【００４９】
１      ・・・  コネクタ
１０    ・・・  コンタクト
１１    ・・・  コンタクト接触部
１２    ・・・  バネ部
１３    ・・・  第１延在部
１４    ・・・  クランク部
１４ａ  ・・・  第１部分
１４ｂ  ・・・  第２部分
１５    ・・・  第２延在部
１６    ・・・  コンタクト端子部
１７    ・・・  コンタクト圧入部
２０    ・・・  ハウジング
２１    ・・・  第１の側部
２２    ・・・  第２の側部
２３    ・・・  第１保持部
２４    ・・・  第２保持部
２５    ・・・  コンタクト用溝部
２６    ・・・  第３保持部
２７    ・・・  貫通孔
３０    ・・・  ホルダ部材
３１    ・・・  第１ホルダ部分
３２    ・・・  第２ホルダ部分
３３    ・・・  ホルダ圧入部
３４    ・・・  貫通孔
３５    ・・・  コンタクト用溝部
３６    ・・・  規制部
４０    ・・・  金属プレート
４１    ・・・  プレート本体部
４２    ・・・  プレート端子部
４３    ・・・  プレート圧入部
４４    ・・・  第２のプレート圧入部（保持部）
４５    ・・・  プレート延在部
５０    ・・・  シェル
５１    ・・・  シェル接触部
５２    ・・・  シェル端子部
６０    ・・・  第１の電源用コンタクト
６１    ・・・  第１の電源用接触部
６２    ・・・  第１の電源用端子部
７０    ・・・  第２の電源用コンタクト
７１    ・・・  第２の電源用接触部
７２    ・・・  第２の電源用端子部
Ｘ      ・・・  第１方向（嵌合方向）
Ｙ      ・・・  第２方向（ハウジングの長手方向）
Ｚ      ・・・  第３方向
Ｒ      ・・・  コンタクトとハウジングの圧入箇所
【図１】
2013222579.tif 000003
【図２】
2013222579.tif 000004
【図３】
2013222579.tif 000005
【図４】
2013222579.tif 000006
【図５】
2013222579.tif 000007
【図６】
2013222579.tif 000008
【図７】
2013222579.tif 000009
【図８】
2013222579.tif 000010
【図９】
2013222579.tif 000011
【図１０】
2013222579.tif 000012
【図１１】
2013222579.tif 000013
【図１２】
2013222579.tif 000014
【図１３】
2013222579.tif 000015
【図１４】
2013222579.tif 000016
【図１５】
2013222579.tif 000017
【図１６】
2013222579.tif 000018
【図１７】
2013222579.tif 000019